(57)【要約】【課題】送信すべき画像ファイルが過去に送信されていることをユーザに確実に知得させる。【解決手段】Ｗｅｂサーバ１３は、携帯電話端末１１からの指示によりＨＴＭＬメールを作成して送信する。このとき、Ｗｅｂサーバ１３の重複送信確認部２４は、送信すべきＨＴＭＬメールに含まれる画像ファイルの送信履歴を、送信履歴管理サーバ１４に照会し、照会の結果、画像ファイルが過去に送信されている場合、その旨を携帯電話端末１１に通知する。重複送信確認部２４は、通知に対する送信指示を受信すると、ＨＴＭＬメールを、ＳＭＴＰサーバ１５を介して送信先に送信すると共に、送信履歴管理サーバ１４に送信する。送信履歴管理サーバ１４の送信履歴管理部２６は、受信したＨＴＭＬメールに含まれる画像ファイルに基づいて、送信履歴ＤＢ２５を更新する。【選択図】図１
2008009937.tif 000002
【特許請求の範囲】
【請求項１】
或るファイルを送信するファイル送信装置であって、
上記ファイルの送信履歴情報を記憶する送信履歴記憶部と、
上記送信履歴情報を参照して、送信すべきファイルが過去に送信されている場合、その旨を、上記送信すべきファイルの送信を指示する指示元に通知する通知手段とを備えることを特徴とするファイル送信装置。
【請求項２】
或るファイルを送信するファイル送信装置であって、
上記ファイルの送信履歴情報を管理する送信履歴管理装置に対し、上記ファイルの送信に関する情報を提供する送信情報提供手段と、
送信すべきファイルの送信履歴情報を、上記送信履歴管理装置に照会し、該照会の結果、上記送信すべきファイルが過去に送信されている場合、その旨を、上記送信すべきファイルの送信を指示する指示元に通知する通知手段とを備えることを特徴とするファイル送信装置。
【請求項３】
上記通知手段の通知に対する上記指示元からの指示に基づいて、上記送信すべきファイルを送信するか否かを判断する判断手段をさらに備えることを特徴とする請求項１または２に記載のファイル送信装置。
【請求項４】
上記通知手段は、送信すべきファイルが、送信すべき送信先に過去に送信されている場合、その旨を、上記送信すべきファイルの送信を指示する指示元に対し通知することを特徴とする請求項１または２に記載のファイル送信装置。
【請求項５】
上記ファイルは、携帯電話端末を送信元として、単独で送信され、または電子メールに添付して送信される画像ファイルであることを特徴とする請求項１または２に記載のファイル送信装置。
【請求項６】
請求項１ないし５の何れか１項に記載のファイル送信装置を動作させるためのファイル送信装置制御プログラムであって、コンピュータを上記各手段として機能させるためのファイル送信装置制御プログラム。
【請求項７】
請求項６に記載のファイル送信装置制御プログラムが記録されたコンピュータ読取り可能な記録媒体。
【請求項８】
或るファイルを送信するファイル送信装置であって、上記ファイルの送信履歴情報を記憶する送信履歴記憶部を備えるファイル送信装置の制御方法において、
送信すべきファイルの上記送信履歴情報を参照するステップと、
該参照の結果、送信すべきファイルが過去に送信されている場合、その旨を、上記送信すべきファイルの送信を指示する指示元に通知するステップとを含むことを特徴とするファイル送信装置の制御方法。
【請求項９】
或るファイルを送信するファイル送信装置の制御方法であって、
上記ファイルの送信履歴情報を管理する送信履歴管理装置に対し、上記ファイルの送信に関する情報を提供するステップと、
送信すべきファイルの送信履歴情報を、上記送信履歴管理装置に照会するステップと、
該照会の結果、上記送信すべきファイルが過去に送信されている場合、その旨を、上記送信すべきファイルの送信を指示する指示元に通知するステップとを含むことを特徴とするファイル送信装置の制御方法。
【発明の詳細な説明】
【技術分野】
【０００１】
本発明は、或るファイルを送信するファイル送信装置およびその制御方法、ファイル送信装置制御プログラム、ならびに該プログラムを記録した記録媒体に関するものである。特に、本発明は、画像ファイルの送信に関するものである。
【背景技術】
【０００２】
近年、携帯通信端末の高性能化が進んでおり、携帯電話機、ＰＨＳ端末などから、電子メールを送信できるようになっている。さらに、上記携帯通信端末は、インターネットからダウンロードした画像ファイルや、内蔵のデジタルカメラにて撮影された画像ファイルを、電子メールに添付して送信する機能を備えていることが多い。
【０００３】
また、特許文献１には、画像ファイルを外部に送信する通信機能付き電子カメラ等の電子画像装置が開示されている。該電子画像装置は、画像ファイルを送信する際に、その際の送信先等の送信設定を送信履歴情報として送信した画像ファイルに対応付けて記録するとともに、表示部に表示される画像を参照しながら送信する画像ファイルを選択する際には、該画像に対応した送信履歴情報を表示部に表示している。これにより、例えば選択した画像ファイルを外部に送信してバックアップを取るような場合には、既にバックアップを取った画像ファイルに対して別の送信先に送信して２重にバックアップを取るような無駄を未然に防止できる。
【特許文献１】特開２００２−３６９０５２号公報（２００２年１２月２０日公開）
【発明の開示】
【発明が解決しようとする課題】
【０００４】
しかしながら、送信履歴情報を表示部に表示するだけでは、ユーザが上記送信履歴情報を看過する可能性がある。この場合、例えば２重にバックアップを取るような無駄が生じることになる。特に、上記送信履歴情報が多くなるにつれて、その可能性が高くなる。
【０００５】
本発明は、上記の問題点に鑑みてなされたものであり、その目的は、送信すべきファイルが過去に送信されていることをユーザが確実に知得できるファイル送信装置などを提供することにある。
【課題を解決するための手段】
【０００６】
本発明に係るファイル送信装置は、或るファイルを送信するファイル送信装置であって、上記課題を解決するために、上記ファイルの送信履歴情報を記憶する送信履歴記憶部と、上記送信履歴情報を参照して、送信すべきファイルが過去に送信されている場合、その旨を、上記送信すべきファイルの送信を指示する指示元に通知する通知手段とを備えることを特徴としている。
【０００７】
また、本発明に係るファイル送信装置の制御方法は、或るファイルを送信するファイル送信装置であって、上記ファイルの送信履歴情報を記憶する送信履歴記憶部を備えるファイル送信装置の制御方法において、上記課題を解決するために、送信すべきファイルの上記送信履歴情報を参照するステップと、該参照の結果、送信すべきファイルが過去に送信されている場合、その旨を、上記送信すべきファイルの送信を指示する指示元に通知するステップとを含むことを特徴としている。
【０００８】
ここで、ファイルとしては、送信可能な任意のものを利用でき、例えば、画像ファイル音声ファイル、テンプレートファイル、文書ファイル、電子メールなどが挙げられる。また、上記ファイル送信装置が送信するファイルは、自装置が記憶または作成するファイルでもよいし、外部から受信したファイルでもよい。また、ファイルの送信を指示する指示元は、自装置の場合もあれば、外部の装置の場合もある。
【０００９】
上記の構成および方法によると、指示元がファイルを送信する場合、ファイル送信装置によって、送信すべきファイルの送信履歴情報が参照され、送信すべきファイルが過去に送信されている旨が上記指示元に通知される。従って、ユーザは、送信すべきファイルが過去に送信されていることを看過しても、ファイル送信装置からの通知により確実に知得することができる。
【００１０】
本発明に係るファイル送信装置は、或るファイルを送信するファイル送信装置であって、上記課題を解決するために、上記ファイルの送信履歴情報を管理する送信履歴管理装置に対し、上記ファイルの送信に関する情報を提供する送信情報提供手段と、送信すべきファイルの送信履歴情報を、上記送信履歴管理装置に照会し、該照会の結果、上記送信すべきファイルが過去に送信されている場合、その旨を、上記送信すべきファイルの送信を指示する指示元に通知する通知手段とを備えることを特徴としている。
【００１１】
また、本発明に係るファイル送信装置の制御方法は、或るファイルを送信するファイル送信装置の制御方法であって、上記課題を解決するために、上記ファイルの送信履歴情報を管理する送信履歴管理装置に対し、上記ファイルの送信に関する情報を提供するステップと、送信すべきファイルの送信履歴情報を、上記送信履歴管理装置に照会するステップと、該照会の結果、上記送信すべきファイルが過去に送信されている場合、その旨を、上記送信すべきファイルの送信を指示する指示元に通知するステップとを含むことを特徴としている。
【００１２】
上記の構成および方法によると、指示元がファイルを送信する場合、ファイル送信装置によって、送信すべきファイルの送信履歴情報が送信履歴管理装置に照会され、送信すべきファイルが過去に送信されている旨が上記指示元に通知される。従って、ユーザは、送信すべきファイルが過去に送信されていることを看過しても、ファイル送信装置からの通知により確実に知得することができる。
【００１３】
本発明に係るファイル送信装置では、上記通知手段の通知に対する上記指示元からの指示に基づいて、上記送信すべきファイルを送信するか否かを判断する判断手段をさらに備えることが好ましい。この場合、不要なファイル送信を防止できるので、通信リソースの負担を軽減することができる。
【００１４】
なお、状況によっては、同じファイルを同じ送信先に送信することを防止したい場合がある。そこで、上記通知手段は、送信すべきファイルが、送信すべき送信先に過去に送信されている場合、その旨を、上記送信すべきファイルの送信を指示する指示元に対し通知してもよい。
【００１５】
また、上記ファイルの具体例としては、携帯電話端末を送信元として、単独で送信され、または電子メールに添付して送信される画像ファイルが挙げられる。この場合、上記ファイル送信装置が上記携帯電話端末からの指示に基づき該携帯電話端末を送信元として送信先に画像ファイルを送信する場合、上記携帯電話端末が上記ファイル送信装置を介して送信先に画像ファイルを送信する場合、上記携帯電話端末である上記ファイル送信装置が送信先に画像ファイルを送信する場合などが考えられる。なお、画像ファイルは、静止画像のファイルであってもよいし、動画像のファイルであってもよい。
【００１６】
なお、上記ファイル送信装置における各手段を、ファイル送信装置制御プログラムによりコンピュータ上で機能させることができる。さらに、上記ファイル送信装置制御プログラムをコンピュータ読取り可能な記録媒体に記憶させることにより、任意のコンピュータ上で上記ファイル送信装置制御プログラムを実行させることができる。
【発明の効果】
【００１７】
以上のように、本発明に係るファイル送信装置は、送信すべきファイルの送信履歴情報を参照して、送信すべきファイルが過去に送信されている場合にその旨を指示元に通知するので、ユーザは、送信すべきファイルが過去に送信されていることを確実に知得できるという効果を奏する。
【発明を実施するための最良の形態】
【００１８】
〔実施の形態１〕
本発明の一実施形態について、図１〜図１４を参照して説明する。図２は、本実施形態のＨＴＭＬ（HyperText Markup Language）メール送信システムの概略構成を示している。
【００１９】
ここで、ＨＴＭＬメールとは、電子メールのメッセージ部分をＨＴＭＬ形式で記述したものである。ＨＴＭＬメールの場合、文字の大きさや太さを設定したり、文字どうしの間に画像を表示させたりできるので、単純なテキスト形式の電子メールに比べて豊かな情報の表現が可能である（日経ＢＰ社、『日経ＢＰデジタル大事典 2000-2001年版』）。
【００２０】
従来、ＨＴＭＬメールの送受信は、ＰＣ（Personal Computer）などの通信端末上でＨＴＭＬ形式に対応した電子メールソフトを利用することにより行われてきた。近時では、株式会社エヌ・ティ・ティ・ドコモから「デコメール（登録商標）」の名称で提供されるメールサービスを利用することにより、携帯電話端末にてＨＴＭＬメールを送受信できるようになっている。
【００２１】
しかしながら、携帯電話端末の操作部は、通常、テンキーと少数の機能キーとを有するのみであり、英数字キーと多数の機能キーとを有するＰＣ等の操作部に比べて、操作に制約を受けることになる。このため、携帯電話端末でＨＴＭＬメールを作成することは、ユーザに多大の労力を強いることになる。
【００２２】
この問題点を解決するため、最近では、各種のＨＴＭＬテンプレート、画像などを提供するＷｅｂサイトがインターネット上に設けられ始めている。これらのＷｅｂサイトが提供するＨＴＭＬテンプレートに所望の文字を入力して送信することにより、ＨＴＭＬメールを簡便に送信することができる。
【００２３】
図２に示されるように、ＨＴＭＬメール送信システム１０は、指示用携帯電話端末１１、通信ネットワーク１２、Ｗｅｂサーバ（ファイル送信装置）１３、送信履歴管理サーバ（送信履歴管理装置）１４、ＳＭＴＰ（Simple Mail Transfer Protocol）サーバ１５、通信ネットワーク１６、携帯電話網メールサーバ１７、通信ネットワーク１８、および、１または複数の送信先携帯電話端末１９を備える構成である。
【００２４】
指示用携帯電話端末１１は、通信ネットワーク１２を介して、Ｗｅｂサーバ１３に通信可能に接続している。また、Ｗｅｂサーバ１３は、送信履歴管理サーバ１４およびＳＭＴＰサーバ１５と通信可能に接続している。また、ＳＭＴＰサーバ１５は、通信ネットワーク１６を介して、携帯電話網メールサーバ１７に通信可能に接続している。そして、携帯電話網メールサーバ１７は、通信ネットワーク１８を介して、１または複数の送信先携帯電話端末１９に通信可能に接続している。
【００２５】
指示用携帯電話端末１１は、通信ネットワーク１２を介してＷｅｂサーバ１３と通信を行い、Ｗｅｂサーバ１３に対して各種の指示を行うものである。本実施形態では、指示用携帯電話端末１１は、Ｗｅｂサーバ１３がＨＴＭＬメールを作成し、作成したＨＴＭＬメールを送信するように指示する。なお、指示用携帯電話端末１１は、通信を行うための通信部、通話を行うための通話部、表示を行うための表示部、操作を行うための操作部などを備える公知の携帯電話端末と同様の構成であるため、その詳細を省略する。
【００２６】
Ｗｅｂサーバ１３は、ＷＷＷ（World Wide Web）のクライアント（ブラウザ）にファイルやデータを提供する装置である。また、送信履歴管理サーバ１４は、画像の送信履歴情報を管理するものである。
【００２７】
本実施形態では、Ｗｅｂサーバ１３は、指示用携帯電話端末１１からの指示に基づき、ＨＴＭＬメールを作成して、ＳＭＴＰサーバ１５に送信する。このとき、Ｗｅｂサーバ１３は、送信するＨＴＭＬメールに含まれる画像の情報を、送信履歴管理サーバ１４に通知し、送信履歴管理サーバ１４は、通知された画像の情報で上記画像の送信履歴情報を更新する。
【００２８】
さらに、本実施形態では、Ｗｅｂサーバ１３は、ＨＴＭＬメールをＳＭＴＰサーバ１５に送信する前に、送信履歴管理サーバ１４にアクセスして、ＨＴＭＬメールに含まれる画像が過去に送信されたか否かを判断する。過去に送信されている場合、その旨をＷｅｂサーバ１３が指示用携帯電話端末１１に通知する。そして、Ｗｅｂサーバ１３は、指示用携帯電話端末１１からＨＴＭＬメールの送信指示を受信したときに、ＨＴＭＬメールをＳＭＴＰサーバ１５に送信する。
【００２９】
従って、指示用携帯電話端末１１のユーザは、送信すべきファイルが過去に送信されていることを看過しても、Ｗｅｂサーバ１３からの通知により確実に知得することができる。なお、Ｗｅｂサーバ１３および送信履歴管理サーバ１４の詳細については後述する。
【００３０】
なお、Ｗｅｂサーバ１３は、指示用携帯電話端末１１のメールアドレスと、指示用携帯電話端末１１を利用するユーザのアカウントおよびパスワードとを対応付けて、図示しない記憶部に記憶している。
【００３１】
ＳＭＴＰサーバ１５とは、ＳＭＴＰに対応するメールサーバをいう。ＳＭＴＰは、インターネット上で電子メールの転送に利用されているプロトコルの１つである。本実施形態では、ＳＭＴＰサーバ１５は、Ｗｅｂサーバ１３から受信したＨＴＭＬメールを、通信ネットワーク１６上に送信するものである。
【００３２】
携帯電話網メールサーバ１７は、携帯電話網にて電子メール・システムを構成するための各種機能を備えたサーバである。この機能の例としては、メッセージの送受信機能、メールボックス機能、メッセージ管理機能などが挙げられる。本実施形態では、携帯電話網メールサーバ１７は、ＳＭＴＰサーバ１５から通信ネットワーク１６を介してＨＴＭＬメールを受信し、受信したＨＴＭＬメールを、送信先携帯電話端末１９からの要求により、通信ネットワーク１８を介して送信先携帯電話端末１９に送信するものである。
【００３３】
送信先携帯電話端末１９は、携帯電話網メールサーバ１７に要求して受信したＨＴＭＬメールを表示するものである。なお、指示用携帯電話端末１１および送信先携帯電話端末１９としては、ＨＴＭＬメールを表示する機能以外は、公知の携帯電話端末と同様であるので、その詳細を省略する。
【００３４】
通信ネットワーク１２・１６・１８には、インターネット、ＬＡＮ（Local Area Network）など、公知の通信ネットワークを利用することができる。また、通信ネットワーク２に利用される通信回線には、公衆通信回線、専用線、ＩＳＤＮ（Integrated Services Digital Network）など、公知の通信回線を利用することができる。なお、通信ネットワーク１２・１６・１８は、全てが同じものであってもよいし、２つが同じで１つが異なるものであってもよいし、全てが異なるものであってもよい。
【００３５】
図１は、Ｗｅｂサーバ１３および送信履歴管理サーバ１４の詳細を示す図である。図示のように、Ｗｅｂサーバ１３は、テンプレート記憶部２１、画像記憶部２２、ＨＴＭＬメール作成部２３、および重複送信確認部（通知手段、送信情報提供手段、判断手段）２４を備える構成である。また、送信履歴管理サーバ１４は、送信履歴ＤＢ（データベース）２５および送信履歴管理部２６およびを備える構成である。なお、図１では、Ｗｅｂサーバ１３と指示用携帯電話端末１１との間の通信ネットワーク１２を省略しており、また、Ｗｅｂサーバ１３および送信履歴管理サーバ１４において、外部と情報を送受信する通信部を省略している。
【００３６】
テンプレート記憶部２１は、各種のＨＴＭＬメール用テンプレートを記憶するものである。また、画像記憶部２２は、ＨＴＭＬメールに利用される各種の画像を記憶するものである。ＨＴＭＬメール用テンプレートおよび画像は、カテゴリに分類されて記憶されている。
【００３７】
ＨＴＭＬメール作成部２３は、指示用携帯電話端末１１からの指示に基づいて、テンプレート記憶部２１からＨＴＭＬメール用テンプレートを読み出し、読み出したＨＴＭＬメール用テンプレートに利用される画像を画像記憶部２２から読み出す。さらに、ＨＴＭＬメール作成部２３は、ＨＴＭＬメールに記載するメッセージを指示用携帯電話端末１１から受信し、受信したメッセージをＨＴＭＬメール用テンプレートのメッセージ部分に記載することにより、ＨＴＭＬメールを作成する。
【００３８】
さらに、ＨＴＭＬメール作成部２３は、作成したＨＴＭＬメールの送信先の情報を、指示用携帯電話端末１１から受信して、上記ＨＴＭＬメールに追加する。そして、ＨＴＭＬメール作成部２３は、作成したＨＴＭＬメールの送信指示を指示用携帯電話端末１１から受信した場合、上記ＨＴＭＬメールを重複送信確認部２４に送信する。
【００３９】
重複送信確認部２４は、ＨＴＭＬメール作成部２３からＨＴＭＬメールを受信すると、受信したＨＴＭＬメールに含まれる送信元（指示用携帯電話端末１１）、画像、および送信先の情報を送信履歴管理サーバ１４に送信して、上記送信元が上記画像を含むＨＴＭＬメールを上記送信先に過去に送信しているか否かを送信履歴管理サーバ１４に照会する。なお、ＨＴＭＬメールに含まれる画像が複数である場合、重複送信確認部２４は、上記送信元が複数の上記画像の少なくとも１つを含むＨＴＭＬメールを上記送信先に過去に送信しているか否かを送信履歴管理部２６に照会すればよい。照会の結果、過去に送信されている場合には、重複送信確認部２４は、同じ画像が同じ送信先に過去に送信されている旨を通知する。
【００４０】
そして、重複送信確認部２４は、上記通知に対する上記ＨＴＭＬメールの送信指示を指示用携帯電話端末１１から受信した場合、或いは、上記照会の結果、過去に送信されていない場合、上記ＨＴＭＬメールをＳＭＴＰサーバ１５に送信する。これにより、ＳＭＴＰサーバ１５は、上記ＨＴＭＬメールを、通信ネットワーク１６・１８および携帯電話網メールサーバ１７を介して、上記送信先の携帯電話端末１９に送信する。さらに、重複送信確認部２４は、上記ＨＴＭＬメールを送信履歴ＤＢ２５にも送信する。
【００４１】
送信履歴ＤＢ２５は、Ｗｅｂサーバ１３から送信されたＨＴＭＬメールに含まれる画像および送信先の履歴情報を送信元ごとに記憶している。図３は、送信履歴ＤＢ２５に記憶されている上記画像および送信先の履歴情報の一例を示している。図示のように、送信履歴ＤＢ２５は、送信元ごとに履歴情報（送信履歴情報）２７を記憶しており、該履歴情報２７には、送信した画像のＩＤ（識別情報）としての画像名と、送信先のメールアドレスとが対応付けられている。なお、送信元のメールアドレスに代えて、指示用携帯電話端末１１がＷｅｂサーバ１３にアクセスするときに行われる認証時に取得するユーザアカウントを利用することもできる。
【００４２】
さらに、履歴情報２７には、画像のカテゴリごとの送信数が含まれている。これにより、例えば、送信数の多いカテゴリに含まれる画像であって、ユーザが選択可能な画像の数を増やすようにするなど、ユーザの利用状況に応じたサービスを提供することができる。
【００４３】
また、履歴情報２７には、送信した画像の画像名に対応付けて、該画像が最初に送信された年月日（開始日）と、上記画像に関して指示用携帯電話端末１１から入力されたメモとが含まれている。また、履歴情報２７には、上記送信先のメールアドレスと共に、送信したＨＴＭＬメールの送信日および文章内容が含まれている。これにより、例えば、ＨＴＭＬメールの送信が所定期間以上行われていない場合に、指示用携帯電話端末１１に対し警告したり、過去に送信したＨＴＭＬメールを確認したりすることができ、ユーザが利用し易いサービスを提供することができる。
【００４４】
送信履歴管理部２６は、重複送信確認部２４から送信元、画像、および送信先の情報を受信すると、上記送信元が上記画像を上記送信先に過去に送信しているか否かを、送信履歴ＤＢ２５を検索して判断し、該判断の結果を重複送信確認部２４に送信する。また、送信履歴管理部２６は、重複送信確認部２４からＨＴＭＬメールを受信すると、受信したＨＴＭＬメールに含まれる送信元、画像、送信先、送信日、およびメッセージ内容の情報に基づいて、送信履歴ＤＢ２５を更新する。
【００４５】
図４は、上記構成のＨＴＭＬメール送信システムにおいて、ＨＴＭＬメールを送信するときの処理動作を示している。ＨＴＭＬメール作成部２３によって作成されたＨＴＭＬメールの送信が、指示用携帯電話端末１１から指示された場合、図示のように、まず、重複送信確認部２４が、ＨＴＭＬメールの分析を実施して（Ｓ１１。以下、単に「Ｓ１１」と記載することがある。他のステップについても同様である。）、ＨＴＭＬメールの送信元、画像ＩＤ、および送信先を取得する（Ｓ１２）。
【００４６】
次に、送信履歴管理部２６は、送信履歴ＤＢ２５を検索して、上記送信元の履歴情報２７の中に、上記画像ＩＤに対応付けられた上記送信先が存在するかを調べる（Ｓ１３）。存在しない場合、ステップＳ１６に進む。一方、存在する場合、重複送信確認部２４は、同じ画像が同じ送信先に既に送信されているため、今回のメール送信が重複送信になる旨の通知と、上記メール送信の確認とを指示用携帯電話端末１１に対して行う（Ｓ１４）。
【００４７】
次に、送信履歴管理部２６は、指示用携帯電話端末１１からの指示により、上記ＨＴＭＬメールの送信を行うか否かを判断する（Ｓ１５）。上記ＨＴＭＬメールを送信する場合には、ステップＳ１５に進む一方、上記ＨＴＭＬメールを送信しない場合には、処理動作を終了する。
【００４８】
ステップＳ１６において、送信履歴管理部２６は、上記ＨＴＭＬメールを、ＳＭＴＰサーバ１５、通信ネットワーク１６・１８および携帯電話網メールサーバ１７を介して、上記送信先の携帯電話端末１９に送信する。そして、送信したＨＴＭＬメールに基づいて、送信履歴管理部２６が送信履歴ＤＢ２５を更新する（Ｓ１７）。その後、処理動作を終了する。
【００４９】
〔実施例〕
次に、上記構成のＨＴＭＬメール送信システム１０を利用して、指示用携帯電話端末１１が送信先携帯電話端末１９にＨＴＭＬメールを送信する具体例について、図５〜図１１を参照して説明する。図５〜図１１は、本実施形態のＨＴＭＬメール送信システム１０における指示用携帯電話端末１１にて表示される表示画面の一例を示している。
【００５０】
指示用携帯電話端末１１がＷｅｂサーバ１３に最初にアクセスすると、認証処理が行われた後に、図５に示されるような、トップページの一部が表示される。図示の下線部には、ハイパーリンクが貼られており、ハイパーリンクを辿っていくことにより、季節、性別、状況などの種々のカテゴリに応じたＨＴＭＬメールのテンプレートが提供される。なお、トップページを上下方向にスクロールすることにより、トップページの他の部分が表示される。
【００５１】
図５に示されるトップページにおいて、ユーザが「季節特集」を選択すると、図６に示されるような、「季節特集」のページが表示される。「季節特集」のページには、ＨＴＭＬテンプレートの題名がハイパーリンク形式で表示される。さらに、「季節特集」のページにおいて、ユーザが「花火大会合コン！」を選択すると、図７に示されるような、「花火大会合コン！」のＨＴＭＬプレビューのページが表示される。
【００５２】
図７に示されるＨＴＭＬプレビューのページには、ＨＴＭＬメールのテンプレートが表示される。図示の例では、花火の画像とサンプルメッセージとが表示されている。さらに、上記ＨＴＭＬプレビューのページには、携帯電話端末１１に画像を直接送信するための「携帯ダウンロード」リンクと、自端末１１にＨＴＭＬメールを送信するための「自分の携帯に送る」リンクと、他の携帯電話端末１９にＨＴＭＬメールを送信するための［グリーティング送信］リンクとが表示されている。
【００５３】
図７に示される表示画面において、ユーザが「グリーティング送信」を選択すると、図８に示されるような、「グリーティング送信」のページが表示される。さらに、「グリーティング送信」のページにおいて、ユーザが「文字の編集」を選択すると、図９に示されるような、「文字の編集」ページが表示される。ユーザは、指示用携帯電話端末１１のテンキーなどを利用することにより、文字の入力枠ａ内に文字の入力、並びに、文字の大きさおよび色の変更のうちの少なくとも１つを行うことができる。さらに、ユーザは、必要に応じて、絵文字などを入力することができる。なお、図９の例では、文字の入力枠ａの外側に画像が表示されているが、文字の入力枠ａのみを表示してもよい。
【００５４】
そして、ユーザが文字の入力を完了して、「ＯＫ」ボタンを押すと、図１０に示されるように、ＨＴＭＬメールの完成ページが表示される。該完成ページには、完成したＨＴＭＬメールが含まれる。次に、ユーザが完成ページにて「ＯＫ」ボタンを押すと、図８に示されるグリーティング送信のページに戻る。
【００５５】
「グリーティング送信」のページにおいて、ユーザが「送信先の入力」を選択すると、送信先の入力ページ（図示せず）が表示される。送信先の入力ページでは、ユーザによって送信先のメールアドレスが入力される。なお、Ｗｅｂサーバ１３の図示しない記憶部にアドレス帳を予め記憶しておき、該アドレス帳の中から送信先のメールアドレスを選択させてもよい。送信先のメールアドレスの入力完了後、再び、図８に示されるグリーティング送信のページに戻る。
【００５６】
「グリーティング送信」のページにおいて、ユーザが「送信する」を選択すると、Ｗｅｂサーバ１３および送信履歴管理サーバ１４が図４に示される処理を実行する。従って、上記ＨＴＭＬメールに含まれる画像が、入力された送信先に初めて送信される場合には、図１０に示されるＨＴＭＬメールが直ちに送信される。一方、上記画像が、入力された送信先に既に送信されている場合には、図１１に示されるような、重複送信となる旨の通知と、メール送信の確認とを行うためのページが表示される。図示の例では、送信先のメールアドレスと送信日時とが表示され、ＨＴＭＬメールを送信するか否かを指示するためのボタンが表示されている。図１１に示される表示画面で、「ＯＫ」ボタンを押すと、図１０に示されるＨＴＭＬメールが送信される。
【００５７】
なお、指示用携帯電話端末１１は、送信履歴ＤＢ２５において自端末を送信元とする履歴情報２７に対し、さらなる情報を追加することができる。この場合の具体例について、図１２〜図１４を参照して説明する。図１２〜図１４は、本実施形態のＨＴＭＬメール送信システム１０における指示用携帯電話端末１１にて表示される表示画面の一例を示している。
【００５８】
図１２は、図５と同様のトップページであり、図５に示される表示画面を下方にスクロールすることにより表示されるものである。図１２に示されるトップページにおいて、ユーザが「テンプレート・ダウンロード履歴」を選択すると、図１３に示されるような、「送信履歴」のページが表示される。このページには、送信された画像ごとに、該画像が初めて送信された日と、上記画像の名称およびサムネイルと、上記画像に関してユーザが入力したメモの内容とが表示される。このページは、送信履歴ＤＢ２５における送信元の履歴情報２７をＷｅｂサーバ１３が参照して作成したものである。
【００５９】
図１３に示される「送信履歴」のページにおいて、ユーザが、或る画像の「メモ入力・更新」を選択すると、図１４に示されるような、「メモ入力・更新」ページが表示される。図示のページにおいて、ユーザは、指示用携帯電話端末１１のテンキーなどを利用することにより、文字の入力枠ｂ内に文字を入力することができる。なお、文字の入力枠ｂをユーザが選択することにより、文字の入力枠ｂのみを表示してもよい。
【００６０】
そして、ユーザが文字の入力を完了して、「ＯＫ」ボタンを押すと、送信履歴ＤＢ２５の送信元の履歴情報２７におけるメモの内容が更新され、図１３に示される「送信履歴」のページにおけるメモの内容が更新されることになる。
【００６１】
なお、本実施形態では、携帯電話端末１９にＨＴＭＬメールを送信しているが、ＰＣなどの通信端末にＨＴＭＬメールを送信することもできる。この場合、携帯電話網メールサーバ１７の代わりに、ＰＯＰ（Post Office Protocol）サーバを利用すればよい。
【００６２】
また、本実施形態では、Ｗｅｂサーバ１３、送信履歴管理サーバ１４、およびＳＭＴＰサーバ１５を別々の装置としているが、何れか２つ、または全てを一体の装置とすることもできる。
【００６３】
また、図７に示されるＨＴＭＬプレビュー画面で、ユーザが「自分の携帯に送る」を選択した場合、Ｗｅｂサーバ１３は、指示用携帯電話端末１１を送信先携帯電話端末１９として、ＨＴＭＬメールを送信することになる。すなわち、指示用携帯電話端末１１は、送信先携帯電話端末１９にもなる。また、Ｗｅｂサーバ１３は、指示用携帯電話端末１１のメールアドレスを、ユーザアカウントおよびパスワードと共に図示しない記憶部に予め記憶しているので、上記の場合に送信先のメールアドレスを入力する必要は無い。
【００６４】
〔実施の形態２〕
次に、本発明の別の実施形態について、図１５および図１６を参照して説明する。図１５は、本実施形態のＨＴＭＬメール送信システム３０の概略構成を示している。ＨＴＭＬメール送信システム３０は、送信元携帯電話端末３３が、Ｗｅｂサーバ３１からダウンロードしたＨＴＭＬメール用テンプレートと該テンプレートに利用する画像とを利用してＨＴＭＬメールを作成し、作成したＨＴＭＬメールを携帯電話網メールサーバ（ファイル送信装置）３５を介して送信先携帯電話端末１９に送信するものである。なお、上記実施形態で説明した構成と同様の機能を有する構成には同一の符号を付して、その説明を省略する。
【００６５】
図１５に示されるように、ＨＴＭＬメール送信システム３０は、Ｗｅｂサーバ３１、通信ネットワーク３２、送信元携帯電話端末３３、通信ネットワーク３４、携帯電話網メールサーバ３５、通信ネットワーク１８、および、１または複数の送信先携帯電話端末１９を備える構成である。
【００６６】
Ｗｅｂサーバ３１は、通信ネットワーク３２を介して、送信元携帯電話端末３３に通信可能に接続している。また、送信元携帯電話端末３３は、通信ネットワーク３４を介して、携帯電話網メールサーバ３５に通信可能に接続している。また、携帯電話網メールサーバ３５は、送信履歴管理サーバ１４と通信可能に接続している。そして、携帯電話網メールサーバ３５は、通信ネットワーク１８を介して、１または複数の送信先携帯電話端末１９に通信可能に接続している。なお、通信ネットワーク３２・３４は、図２に示される通信ネットワーク１２・１６・１８と同様であり、その説明を省略すする。
【００６７】
本実施形態のＷｅｂサーバ３１は、図１に示されるＷｅｂサーバ１３に比べて、重複送信確認部２４が省略されている点と、ＨＴＭＬメール作成部２３に代えてデータ送出部４１が設けられている点とが異なり、その他の構成は同様である。データ送出部４１は、送信元携帯電話端末３３からの要求に基づき、テンプレート記憶部２１からＨＴＭＬテンプレートを読み出すと共に、該ＨＴＭＬテンプレートに利用される画像を画像記憶部２２から読み出し、読み出したＨＴＭＬテンプレートおよび画像を送信元携帯電話端末３３に送信するものである。
【００６８】
送信元携帯電話端末３３は、データ記憶部４２、データ受取部４３、およびＨＴＭＬメール作成部４４を備える構成である。データ受取部４３は、Ｗｅｂサーバ１３に要求して、所望のＨＴＭＬテンプレートおよび画像をＷｅｂサーバ１３から受け取るものである。データ受取部４３は、受け取ったデータをデータ記憶部４２に記憶する。なお、データ受取部４３における処理は、図７に示されるＨＴＭＬプレビュー画面において、「携帯ダウンロード」を選択した場合に行われる処理に対応する。
【００６９】
ＨＴＭＬメール作成部４４は、図示しない操作部の操作に基づいて、ＨＴＭＬメール用テンプレートと、該ＨＴＭＬメール用テンプレートに利用される画像とをデータ記憶部４２から読み出す。さらに、ＨＴＭＬメール作成部４４は、ＨＴＭＬメールに記載するメッセージを、ユーザから上記操作部を介して取得し、取得したメッセージをＨＴＭＬメール用テンプレートのメッセージ部分に記載することにより、ＨＴＭＬメールを作成する。
【００７０】
さらに、ＨＴＭＬメール作成部４４は、作成したＨＴＭＬメールの送信先の情報を、ユーザから上記操作部を介して取得し、取得した送信先の情報を上記ＨＴＭＬメールに追加する。そして、ＨＴＭＬメール作成部４４は、作成したＨＴＭＬメールの送信指示を、ユーザから上記操作部を介して取得した場合、上記ＨＴＭＬメールを携帯電話網メールサーバ３５に送信する。
【００７１】
本実施形態の携帯電話網メールサーバ３５は、図２に示される携帯電話網メールサーバ１７に比べて、重複送信確認部（通知手段、送信情報提供手段、判断手段）４５が追加されている点が異なる。重複送信確認部４５は、図１に示される重複送信確認部２４に比べて、ＨＴＭＬメールの送信元が送信元携帯電話端末３３である点が異なり、その他の機能は同様である。
【００７２】
重複送信確認部４５は、送信履歴管理サーバ１４に照会した結果、送信元がＨＴＭＬメールに含まれる画像を送信先に過去に送信している場合、重複送信となる旨の通知とメール送信の確認とを含むＨＴＭＬメールである確認メールを送信する。図１６は、この確認メールが送信元携帯電話端末３３にて表示される表示画面の一例を示している。図示の例では、送信先のメールアドレスと送信日時とが表示され、ＨＴＭＬメールを送信するか否かを指示するためのボタンが表示されている。送信元携帯電話端末３３は、図１６に示される表示画面で、「決定」ボタンが押された場合に送信を指示する指示メールを、「中止」ボタンが押された場合に送信の中止を指示する指示メールを、それぞれ重複送信確認部４５に送信する。重複送信確認部４５は、送信元携帯電話端末３３からの指示メールに基づいて、ＨＴＭＬメールを送信するか否かを判断する。
【００７３】
従って、本実施形態のＨＴＭＬメール送信システム３０は、送信元携帯電話端末３３がＨＴＭＬメールを送信する場合、携帯電話網メールサーバ３５によって、送信すべきＨＴＭＬメールの送信履歴が参照され、重複送信となる旨が送信元携帯電話端末３３に通知される。従って、送信元携帯電話端末３３のユーザは、重複送信を看過しても、携帯電話網メールサーバ３５からの通知により確実に知得することができる。
【００７４】
なお、本実施形態では、重複送信確認部２４は、重複送信となる旨の通知とメール送信の確認とを含む確認メールを送信元携帯電話端末３３に送信しているが、重複送信となる旨の通知のみを含むメールを送信元携帯電話端末３３に送信し、自身がＨＴＭＬメールを送信するか否かを判断してもよい。
【００７５】
〔実施の形態３〕
次に、本発明の他の実施形態について、図１７を参照して説明する。図１７は、本実施形態のＨＴＭＬメール送信システム５０の概略構成を示している。ＨＴＭＬメール送信システム５０は、送信元携帯電話端末（ファイル送信装置）５１が、Ｗｅｂサーバ３１からダウンロードしたＨＴＭＬメール用テンプレートと該テンプレートに利用する画像とを利用してＨＴＭＬメールを作成し、作成したＨＴＭＬメールを携帯電話網メールサーバ１７を介して送信先携帯電話端末１９に送信するものである。なお、上記実施形態で説明した構成と同様の機能を有する構成には同一の符号を付して、その説明を省略する。
【００７６】
本実施形態のＨＴＭＬメール送信システム５０は、図１５に示されるＨＴＭＬメール送信システム３０に比べて、重複送信確認部、送信履歴ＤＢ、および送信履歴管理部が送信元携帯電話端末３３に設けられる点とが異なり、その他の構成は同様である。すなわち、重複送信の確認を送信元携帯電話端末５１が行うことになる。
【００７７】
本実施形態の送信元携帯電話端末５１は、図１５に示される送信元携帯電話端末３３に比べて、重複送信確認部（通知手段、送信情報提供手段、判断手段）５２、送信履歴管理部５３、および送信履歴ＤＢ（送信履歴記憶部）５４が追加されている点が異なり、その他の構成は同様である。
【００７８】
送信履歴管理部５３および送信履歴ＤＢ５４は、図１に示される送信履歴管理サーバ１４の送信履歴管理部２６および送信履歴ＤＢ２５に比べて、自端末５１の送信履歴情報のみを記憶しかつ管理する点が異なり、その他の構成は同様である。
【００７９】
ＨＴＭＬメール作成部４４は、作成したＨＴＭＬメールの送信指示を、ユーザから図示しない操作部を介して取得した場合、上記ＨＴＭＬメールを重複送信確認部５２に送信する。重複送信確認部５２は、ＨＴＭＬメール作成部４４からＨＴＭＬメールを受信すると、受信したＨＴＭＬメールに含まれる画像および送信先の情報を送信履歴管理部５３に送信して、上記画像を含むＨＴＭＬメールを上記送信先に過去に送信しているか否かを送信履歴管理部５３に照会する。すなわち、本実施形態では、送信元は自端末５１のみであるので、重複送信確認部５２は、図１に示される重複送信確認部２４と、図１５に示される重複送信確認部４５とに比べて、送信元の照会が省略されることになる。照会の結果、過去に送信されている場合には、重複送信確認部５２は、同じ画像が同じ送信先に過去に送信されている旨を、図示しない表示部にて表示する。このときの表示画面は、図１１に示される表示画面と同様である。
【００８０】
そして、重複送信確認部５２は、上記表示に対する上記ＨＴＭＬメールの送信指示を上記操作部から取得した場合、或いは、上記照会の結果、過去に送信されていない場合、上記ＨＴＭＬメールを、携帯電話網メールサーバ１７を介して、送信先携帯電話端末１９に送信する。さらに、重複送信確認部５２は、上記ＨＴＭＬメールを送信履歴管理部５３にも送信する。
【００８１】
従って、本実施形態のＨＴＭＬメール送信システム５０は、送信元携帯電話端末５１がＨＴＭＬメールを送信する場合、自端末５１の重複送信確認部５２によって、送信すべきＨＴＭＬメールの送信履歴が参照され、重複送信となる旨が通知される。従って、送信元携帯電話端末５１のユーザは、重複送信を看過しても、重複送信確認部５２からの通知により確実に知得することができる。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８３】
例えば、上記実施形態は、画像の重複送信をユーザに確認させるための構成であるが、ＨＴＭＬメールテンプレートの重複送信をユーザに確認させるための構成であってもよい。このように、本発明は、任意のファイルを送信する構成に適用することができる。
【００８４】
最後に、Ｗｅｂサーバ１３・３１、送信履歴管理サーバ１４、送信元携帯電話端末３３・５１、および携帯電話網メールサーバ３５の各ブロック、特にＨＴＭＬメール作成部２３・４４、重複送信確認部２４・４５・５２、送信履歴管理部２６・５３、データ送出部４１、およびデータ受取部４３は、ハードウェアロジックによって構成してもよいし、次のようにＣＰＵを用いてソフトウェアによって実現してもよい。
【００８５】
すなわち、Ｗｅｂサーバ１３・３１、送信履歴管理サーバ１４、送信元携帯電話端末３３・５１、および携帯電話網メールサーバ３５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるＷｅｂサーバ１３・３１、送信履歴管理サーバ１４、送信元携帯電話端末３３・５１、および携帯電話網メールサーバ３５の制御プログラムのプログラムコード（実行形式プログラム、中間コードプログラム、ソースプログラム）をコンピュータで読み取り可能に記録した記録媒体を、上記Ｗｅｂサーバ１３・３１、送信履歴管理サーバ１４、送信元携帯電話端末３３・５１、および携帯電話網メールサーバ３５に供給し、そのコンピュータ（またはＣＰＵやＭＰＵ）が記録媒体に記録されているプログラムコードを読み出し実行することによっても、達成可能である。
【００８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
また、Ｗｅｂサーバ１３・３１、送信履歴管理サーバ１４、送信元携帯電話端末３３・５１、および携帯電話網メールサーバ３５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８８】
本発明は、指示元がファイルを送信する場合、ファイル送信装置によって、送信すべきファイルの送信履歴情報が参照され、送信すべきファイルが過去に送信されている旨が上記指示元に通知されるので、画像ファイルだけでなく、音声ファイル、テンプレートファイル、文書ファイルなど、種々のファイルの送信に適用できる。
【図面の簡単な説明】
【００８９】
【図１】本発明の一実施形態であるＨＴＭＬメール送信システムにおけるＷｅｂサーバおよび送信履歴管理サーバの概略構成を示すブロック図である。
【図２】上記ＨＴＭＬメール送信システムの概略構成を示すブロック図である。
【図３】上記送信履歴管理サーバにおける送信履歴ＤＢに記憶されている画像および送信先の履歴情報の一例を表形式で示す図である。
【図４】上記ＨＴＭＬメール送信システムにおいてＨＴＭＬメールを送信するときの処理動作を示すフローチャートである。
【図５】上記ＨＴＭＬメール送信システムにおける指示用携帯電話端末にて表示される表示画面の一例を示す図であり、上記Ｗｅｂサーバが提供するトップページの一部を示している。
【図６】上記指示用携帯電話端末にて表示される表示画面の一例を示す図であり、上記Ｗｅｂサーバが提供する季節特集のページを示している。
【図７】上記指示用携帯電話端末にて表示される表示画面の一例を示す図であり、上記Ｗｅｂサーバが提供するＨＴＭＬプレビュー画面のページを示している。
【図８】上記指示用携帯電話端末にて表示される表示画面の一例を示す図であり、上記Ｗｅｂサーバが提供するグリーティング送信のページを示している。
【図９】上記指示用携帯電話端末にて表示される表示画面の一例を示す図であり、上記Ｗｅｂサーバが提供する文字編集のページを示している。
【図１０】上記指示用携帯電話端末にて表示される表示画面の一例を示す図であり、上記Ｗｅｂサーバが提供するＨＴＭＬメールの完成ページを示している。
【図１１】上記指示用携帯電話端末にて表示される表示画面の一例を示す図であり、上記Ｗｅｂサーバが提供するページであって、重複送信となる旨の通知とメール送信の確認とを行うためのページを示している。
【図１２】上記指示用携帯電話端末にて表示される表示画面の一例を示す図であり、上記Ｗｅｂサーバが提供する上記トップページの他の部分を示している。
【図１３】上記指示用携帯電話端末にて表示される表示画面の一例を示す図であり、上記Ｗｅｂサーバが提供する送信履歴のページを示している。
【図１４】上記指示用携帯電話端末にて表示される表示画面の一例を示す図であり、上記Ｗｅｂサーバが提供するメモ入力・更新のページを示している。
【図１５】本発明の別の実施形態であるＨＴＭＬメール送信システムの概略構成を示すブロック図である。
【図１６】上記ＨＴＭＬメール送信システムにおける送信元携帯電話端末にて表示される表示画面の一例を示す図であり、確認メールの内容を示している。
【図１７】本発明の他の実施形態であるＨＴＭＬメール送信システムの概略構成を示すブロック図である。
【符号の説明】
【００９０】
１０・３０・５０    ＨＴＭＬメール送信システム
１１    指示用携帯電話端末
１２・１６・１８・３２・３４    通信ネットワーク
１３    Ｗｅｂサーバ（ファイル送信装置）
１４    送信履歴管理サーバ（送信履歴管理装置）
１９    送信先携帯電話端末
２４・４５・５２    重複送信確認部（通知手段、送信情報提供手段、判断手段）
２７    履歴情報（送信履歴情報）
３３    送信元携帯電話端末
３５    携帯電話網メールサーバ（ファイル送信装置）
５１    送信元携帯電話端末（ファイル送信装置）
５４    送信履歴ＤＢ（送信履歴記憶部）
【図１】
2008009937.tif 000003
【図２】
2008009937.tif 000004
【図３】
2008009937.tif 000005
【図４】
2008009937.tif 000006
【図５】
2008009937.tif 000007
【図６】
2008009937.tif 000008
【図７】
2008009937.tif 000009
【図８】
2008009937.tif 000010
【図９】
2008009937.tif 000011
【図１０】
2008009937.tif 000012
【図１１】
2008009937.tif 000013
【図１２】
2008009937.tif 000014
【図１３】
2008009937.tif 000015
【図１４】
2008009937.tif 000016
【図１５】
2008009937.tif 000017
【図１６】
2008009937.tif 000018
【図１７】
2008009937.tif 000019